(57)【特許請求の範囲】
【請求項１】
第１熱源と、
第２熱源と、
前記第１熱源又は前記第２熱源によって加熱された水を給湯箇所へ供給する給湯路と、
前記給湯路によって前記給湯箇所へ供給される水の温度を検出する温度センサと、
前記温度センサによって検出された検出温度と前記給湯箇所の水温として要求されている設定温度とに基づいて不良を判定する判定手段と、
前記判定手段によって判定された不良情報を記憶する記憶手段と、を備えており、
前記第１熱源から前記温度センサまでの経路が前記第２熱源から前記温度センサまでの経路より長く、
前記第１熱源のみによって加熱された水が前記給湯箇所へ供給されるときは、供給開始から第１の所定時間が経過したときに前記温度センサによって検出された水の検出温度に基づいて前記判定手段が不良を判定し、少なくとも前記第２熱源によって加熱された水が前記給湯箇所へ供給されるときは、供給開始から前記第１の所定時間より短い第２の所定時間が経過したときに前記温度センサによって検出された水の検出温度に基づいて前記判定手段が不良を判定する、給湯システム。
【請求項２】
前記給湯路によって前記給湯箇所へ供給される水の単位時間あたりの供給量が多くなるに従って前記第１の所定時間と前記第２の所定時間が短くなる、請求項１に記載の給湯システム。
【請求項３】
前記給湯路によって前記給湯箇所へ供給される水の単位時間あたりの供給量が所定の供給量より多いときに、前記温度センサによって検出された水の検出温度に基づいて前記判定手段が不良を判定する、請求項１又は２に記載の給湯システム。
【発明の詳細な説明】
【技術分野】
【０００１】
本明細書で開示する技術は、給湯システムに関する。
【背景技術】
【０００２】
特許文献１に開示されている給湯システムは、電気を消費して水を加熱する電気式熱源と、ガスを消費して水を加熱するガス式熱源と、電気式熱源又はガス式熱源によって加熱された水を給湯箇所へ供給する給湯路と、給湯路によって給湯箇所へ供給される水の温度を検出する温度センサとを備えている。
【先行技術文献】
【特許文献】
【０００３】
【特許文献１】特開２０１４−１３４３４９号公報
【発明の概要】
【発明が解決しようとする課題】
【０００４】
特許文献１に開示されているような給湯システムでは、温度センサによって検出された検出温度と給湯箇所の水温として要求されている設定温度を比較して温調不良を判定することがある。温調不良を判定する場合、ガス式熱源と電気式熱源の違いに関係無く、湯の供給開始から予め設定された時間が経過したときに温度センサによって水温を検出していた。湯の供給開始直後は、熱源から給湯箇所までの経路に残った水（いわゆる初期冷水）の水温が検出されることになるので、温調不良を正確に判断できないことがある。
【０００５】
また、電気式熱源によって加熱された水の温度が検出される場合であっても、ガス式熱源によって加熱された水の温度が検出される場合であっても、初期冷水が排出された後に水温を検出することが望ましい。すなわち、電気式熱源とガス式熱源では条件の違いによって初期冷水が排出される時間に違いが生じることがあるが、いずれの熱源によって加熱された水も温度センサによって水温が検出されるときに初期冷水が排出されていることが望ましい。例えば、各熱源から給湯箇所までの経路長の違いによって、初期冷水が排出される時間に違いが生じることがあるが、そのような場合であっても、初期冷水が排出された後にすみやかに温度センサによって水温が検出され、その水温に基づいて温調不良を判断することが望ましい。このとき、従来の技術では、ガス式熱源と電気式熱源の違いに関係無く、湯の供給開始から予め設定された時間が経過したときに温度センサによって水温を検出していたので、不良情報を取得するまでの時間が長くなっていた。すなわち、熱源の違いによって初期冷水が排出される時間に違いがあるにもかかわらず、水温を検出するタイミングを統一しているため、初期冷水が排出される時間が長い熱源に合わせて水温を検出しなければならず、供給開始から水温を検出するまでの時間が長くなっていた。これによって、不良情報を取得するまでの時間が長くなっていた。したがって、手洗いなど給湯運転時間が比較的短い場合には、温調不良が発生していたとしても、不良情報を取得できないこともあった。
【０００６】
そこで本明細書は、いずれの熱源が使用されている場合でも、初期冷水が排出された後の水温に基づく不良情報をすみやかに取得することができる技術を提供する。
【課題を解決するための手段】
【０００７】
本明細書で開示する給湯システムは、第１熱源と、第２熱源とを備えている。また、給湯システムは、第１熱源又は第２熱源によって加熱された水を給湯箇所へ供給する給湯路と、給湯路によって給湯箇所へ供給される水の温度を検出する温度センサとを備えている。また、給湯システムは、温度センサによって検出された検出温度と給湯箇所の水温として要求されている設定温度とに基づいて不良を判定する判定手段と、判定手段によって判定された不良情報を記憶する記憶手段とを備えている。第１熱源から温度センサまでの経路が第２熱源から温度センサまでの経路より長い。第１熱源のみによって加熱された水が給湯箇所へ供給されるときは、供給開始から第１の所定時間が経過したときに温度センサによって検出された水の検出温度に基づいて判定手段が不良を判定し、少なくとも第２熱源によって加熱された水が給湯箇所へ供給されるときは、供給開始から第１の所定時間より短い第２の所定時間が経過したときに温度センサによって検出された水の検出温度に基づいて判定手段が不良を判定する。
【０００８】
第１熱源によって加熱された水と第２熱源によって加熱された水では初期冷水が排出される時間に違いが生じる。例えば、各熱源から給湯箇所までの経路長の違いによって、初期冷水が排出される時間に違いが生じる。第１熱源から温度センサまでの経路が第２熱源から温度センサまでの経路より長いと、初期冷水が排出される時間に違いによって、第１熱源によって加熱された水が温度センサに到達するまでの時間が、第２熱源によって加熱された水が温度センサに到達するまでの時間よりも長くなる。そこで、上記の給湯システムでは、第１熱源によって水が加熱されたときは第１の所定時間が経過したときに検出された水温に基づいて不良を判定し、第２熱源によって水が加熱されたときは第１の所定時間より短い第２の所定時間が経過したときに検出された水温に基づいて不良を判定している。このように、水の供給開始から不良判定までの時間を熱源の種類に応じて異なるものとしているので、いずれの熱源が使用されている場合でも初期冷水排出後の水温に基づいてすみやかに不良を判定することができる。よって、いずれの熱源が使用されている場合でも、初期冷水が排出された後の不良情報をすみやかに取得することができる。したがって、手洗いなど比較的給湯運転時間が短い場合であっても、温調不良を判定することができる。
【０００９】
上記の給湯システムでは、給湯路によって給湯箇所へ供給される水の単位時間あたりの供給量が多くなるに従って第１の所定時間と第２の所定時間が短くなってもよい。
【００１０】
水の供給量が多くなると、初期冷水が排出されるまでの時間が短くなる。上記の構成によれば、水の供給開始から不良判定までの時間を水の供給量に応じて変化させているため、短時間で不良判定を行うことができる。
【００１１】
上記の給湯システムでは、給湯路によって給湯箇所へ供給される水の単位時間あたりの供給量が所定の供給量より多いときに、温度センサによって検出された水の検出温度に基づいて判定手段が不良を判定してもよい。
【００１２】
水の供給量が極端に少ない場合には、給湯箇所へ供給される水の温度を精度よく調整することは困難であり、このような場合に不良判定を行うと、機器が何の問題もなく動作している場合でも、温調不良と誤って判定してしまう場合がある。上記の構成によれば、水の供給量が所定の供給量より多い場合についてのみ検出された水温に基づいて不良を判定するので、上記のような誤判定を防ぐことができる。
【図面の簡単な説明】
【００１３】
【図１】実施例に係る給湯システムの構成を模式的に示す図である。
【図２】給湯運転時に制御装置が実行する処理を示すフローチャートである。
【発明を実施するための形態】
【００１４】
図面を参照しながら実施例に係る給湯システムについて説明する。図１に示すように、給湯システム１は、ヒートポンプユニット２０と、ガス熱源機ユニット３０と、制御装置９０を備えている。
【００１５】
ヒートポンプユニット２０は、外気から吸熱して水を加熱する熱源である。ヒートポンプユニット２０は、電気を消費して水を加熱する電気式熱源（第１熱源の一例）の一種である。ヒートポンプユニット２０には、商用電源が供給される。ヒートポンプユニット２０は主に、ヒートポンプ２１とタンク１１を備えている。ヒートポンプ２１は、冷媒（例えばＲ４１０ＡといったＨＦＣ冷媒や、Ｒ７４４といったＣＯ２冷媒）を循環させるための冷媒循環路２６と、蒸発器２５と、ファン２７と、圧縮機２２と、凝縮器２３と、膨張弁２４を備えている。
【００１６】
蒸発器２５は、ファン２７によって送風された外気と冷媒循環路２６内の冷媒との間で熱交換を行う、気液熱交換器である。蒸発器２５には、膨張弁２４を通過後の低圧低温の液体状態にある冷媒が供給される。蒸発器２５は、冷媒と外気とを熱交換させることによって、冷媒を加熱する。冷媒は、加熱されることにより気化し、比較的高温で低圧の気体状態となる。
【００１７】
圧縮機２２には、蒸発器２５を通過後の冷媒が供給される。即ち、圧縮機２２には、比較的高温で低圧の気体状態の冷媒が供給される。圧縮機２２によって冷媒が圧縮されることにより、冷媒は高温高圧の気体状態となる。圧縮機２２は、圧縮後の高温高圧の気体状態の冷媒を、凝縮器２３に送り出す。
【００１８】
凝縮器２３には、圧縮機２２から送り出された高温高圧の気体状態の冷媒が供給される。凝縮器２３は、冷媒循環路２６内の冷媒とタンク水循環路１２内の水との間で熱交換を行う、液液熱交換器である。冷媒は、凝縮器２３での熱交換の結果、熱を奪われて凝縮する。これにより、冷媒は、比較的低温で高圧の液体状態となる。
【００１９】
膨張弁２４には、凝縮器２３を通過後の比較的低温で高圧の液体状態の冷媒が供給される。冷媒は、膨張弁２４を通過することによって減圧され、低温低圧の液体状態となる。すなわち、膨張弁２４は凝縮器２３からの冷媒を減圧する減圧器として機能する。膨張弁２４を通過した冷媒は、上記の通り、蒸発器２５に送られる。
【００２０】
ヒートポンプ２１において、圧縮機２２を作動させると、冷媒循環路２６内の冷媒は、蒸発器２５、圧縮機２２、凝縮器２３、膨張弁２４の順に循環する。ヒートポンプ２１が動作すると、凝縮器２３において、タンク水循環路１２内の水が加熱される。
【００２１】
タンク１１は、ヒートポンプ２１によって加熱された水を貯える。タンク１１は、密閉型であり、断熱材によって外側が覆われている。タンク１１内には満水まで水が貯留される。タンク１１には、サーミスタ１１ａ、１１ｂ、１１ｃがタンク１１の高さ方向に略均等間隔で取り付けられている。各サーミスタ１１ａ、１１ｂ、１１ｃは、その取付位置の水の温度を測定する。各サーミスタ１１ａ、１１ｂ、１１ｃの検出温度から、タンク１１の蓄熱状態を特定することができる。
【００２２】
タンク水循環路１２は、上流端がタンク１１の下部に接続されており、ヒートポンプ２１の凝縮器２３を通過して、下流端がタンク１１の上部に接続されている。タンク水循環路１２には、循環ポンプ２８が介装されている。循環ポンプ２８は、タンク水循環路１２内の水を上流側から下流側へ送り出す。ヒートポンプユニット２０を動作させて、循環ポンプ２８を駆動すると、タンク１１の下部の水が凝縮器２３に送られて加熱され、加熱された水がタンク１１の上部に戻される。タンク１１の内部には、低温の水の層の上に高温の水の層が積み重なった温度成層が形成される。タンク水循環路１２には、サーミスタ６１、６２が取り付けられている。サーミスタ６１は、凝縮器２３より上流側のタンク水循環路１２を流れる水の温度を検出する。サーミスタ６２は、凝縮器２３より下流側のタンク水循環路１２を流れる水の温度を検出する。
【００２３】
タンク水供給路１３は、上流端がヒートポンプユニット２０の外部の水道水供給源１１０に接続されており、水道水を受け入れる。タンク水供給路１３の下流端は、タンク１１の下部に接続されている。タンク水供給路１３の途中から分岐路１３２が分岐している。分岐路１３２の下流端は、出湯路１４の途中に接続されている。タンク水供給路１３には、タンク水供給路１３を流れる水の温度を検出するサーミスタ６３が取り付けられている。分岐路１３２には、分岐路１３２を流れる水の流量を検出する流量センサ７１が取り付けられている。
【００２４】
出湯路１４は、上流端がタンク１１の上部に接続されている。上述したように、出湯路１４の途中には、分岐路１３２が接続されている。出湯路１４と分岐路１３２の接続部には、混合弁１５が介装されている。混合弁１５は、開度を変化させて、タンク１１の上部から出湯路１４へ流入する高温の水の流量と、分岐路１３２から出湯路１４へ流入する低温の水の流量の割合を調整する。混合弁１５より上流側の出湯路１４には、出湯路１４を流れる水の流量を検出する流量センサ７２が取り付けられている。混合弁１５より下流側の出湯路１４には、出湯路１４を流れる水の温度を検出するサーミスタ６４が取り付けられている。混合弁１５より下流側の出湯路１４は、第１給湯路１７と第２給湯路３３に分岐している。
【００２５】
第１給湯路１７の下流端は、給湯栓１０１（給湯箇所の一例）に接続されている。第１給湯路１７は、混合弁１５を通過した高温の水を給湯栓１０１に送る。第１給湯路１７には、バイパス弁１６が介装されている。通常は、バイパス弁１６は、開いた状態で維持されている。給湯栓１０１が開くと、水が第１給湯路１７を流れる。第１給湯路１７には、第１給湯路１７から給湯栓１０１に供給される水の温度を検出するサーミスタ６５が取り付けられている。サーミスタ６５は、給湯栓１０１の近傍に配置されている。
【００２６】
ガス熱源機ユニット３０は、給湯栓１０１や浴槽１００（給湯箇所の一例）に供給される水をガスの燃焼によって加熱する熱源である。ガス熱源機ユニット３０は、ガスを消費して水を加熱するガス式熱源（第２熱源の一例）の一種である。ガス熱源機ユニット３０は、ガスバーナ３１と熱交換器３２を備えている。ガスバーナ３１は、ガスの燃焼によって熱交換器３２の内部を流れる水を加熱する。熱交換器３２は、第２給湯路３３に組み込まれている。
【００２７】
ガス熱源機ユニット３０は、ヒートポンプユニット２０より下流に配置されている。ガス熱源機ユニット３０は、ヒートポンプユニット２０より給湯栓１０１に近い位置に配置されている。これによって、ヒートポンプユニット２０のタンク１１から給湯栓１０１までの経路が、ガス熱源機ユニット３０の熱交換器３２から給湯栓１０１までの経路より長くなっている。また、タンク１１からサーミスタ６５までの経路が、熱交換器３２からサーミスタ６５までの経路より長くなっている。
【００２８】
第２給湯路３３は、ガス熱源機ユニット３０を通過して、下流端が第１給湯路１７のバイパス弁１６より下流側に合流している。第２給湯路３３の熱交換器３２より下流側からは、浴槽１００に連通する湯張り路３９が分岐している。第２給湯路３３の熱交換器３２より上流側には、供給量調整弁３６が介装されている。供給量調整弁３６は、開度を変化させて、第２給湯路３３から給湯栓１０１や浴槽１００に供給される水の供給量を調整する。供給量調整弁３６は、ガス熱源機ユニット３０内に配置されている。供給量調整弁３６としては、例えば、ステッピングモータによって開度を調整できる水量サーボを用いることができる。
【００２９】
供給量調整弁３６より下流側であって、熱交換器３２より上流側の第２給湯路３３からバイパス路３４が分岐している。バイパス路３４は、熱交換器３２より下流側の第２給湯路３３に接続している。第２給湯路３３とバイパス路３４の分岐部には、分岐弁３８が介装されている。分岐弁３８は、開度を変化させて、熱交換器３２を通過する水の流量と、熱交換器３２をバイパスする水の流量の割合を調整する。供給量調整弁３６と分岐弁３８の間の第２給湯路３３には、第２給湯路３３を流れる水の流量を検出する流量センサ７３が取り付けられている。熱交換器３２より下流側の第２給湯路３３には、第２給湯路３３を流れる水の温度を検出するサーミスタ６７が取り付けられている。
【００３０】
湯張り路３９には、湯張り弁３７が介装されている。湯張り弁３７は、湯張り路３９を開閉する。湯張り弁３７より下流側の湯張り路３９には、湯張り路３９を流れる水の流量を検出する流量センサ７４が取り付けられている。
【００３１】
制御装置９０は、ヒートポンプユニット２０と、ガス熱源機ユニット３０の各構成要素の動作を制御する。制御装置９０は、判定手段９１と記憶手段９２を備えている。判定手段９１は、給湯システム１の不良を判定する。記憶手段９２は、複数の記憶領域を備えている。具体的には、記憶手段９２は、第１記憶領域９２１と第２記憶領域９２２を備えている。第１記憶領域９２１は、給湯システム１の不良を示す不良情報を記憶する。第２記憶領域９２２は、不良情報を記憶しない。制御装置９０による制御については、後に詳細に説明する。
【００３２】
（給湯システムの動作）
次に、本実施例に係る給湯システムの動作について説明する。以下では、給湯システム１が実施する蓄熱運転及び給湯運転について順に説明する。
【００３３】
（蓄熱運転）
蓄熱運転は、タンク１１内の水をヒートポンプ２１で加熱し、高温となった水をタンク１１に戻す運転である。蓄熱運転を実行する際には、制御装置９０は圧縮機２２及びファン２７を駆動するとともに、循環ポンプ２８を駆動する。
【００３４】
圧縮機２２及びファン２７の駆動により、冷媒循環路２６内の冷媒は、蒸発器２５、圧縮機２２、凝縮器２３、膨張弁２４の順に循環する。この場合、凝縮器２３を通過する冷媒循環路２６内の冷媒は、高温高圧の気体状態である。また、循環ポンプ２８の駆動によって、タンク水循環路１２内をタンク１１内の水が循環する。即ち、タンク１１の下部に存在する水がタンク水循環路１２内に導入され、導入された水が凝縮器２３を通過する際に、冷媒循環路２６内の冷媒の熱によって加熱され、加熱された水がタンク１１の上部に戻される。これにより、タンク１１に高温の水が貯められる。
【００３５】
（給湯運転）
給湯運転は、タンク１１内の水を給湯栓１０１（給湯箇所の一例）に供給する運転である。給湯運転は、上記の蓄熱運転と並行して行うこともできる。給湯栓１０１が開かれると、水道水供給源１１０からの水圧によって、タンク水供給路１３からタンク１１の下部に水道水が流入する。同時に、タンク１１の上部の水が、出湯路１４及び第１給湯路１７を介して給湯栓１０１に供給される。
【００３６】
制御装置９０は、タンク１１から出湯路１４に供給される水の温度が、給湯設定温度より高い場合には、混合弁１５を駆動して分岐路１３２から出湯路１４に水道水を導入する。従って、タンク１１から供給された水と分岐路１３２から供給された水道水とが、出湯路１４内で混合される。制御装置９０は、給湯栓１０１に供給される水の温度が、給湯設定温度と一致するように、混合弁１５の開度を調整する。一方、制御装置９０は、タンク１１から出湯路１４に供給される水の温度が、給湯設定温度より低い場合には、ガスバーナ３１によって第２給湯路３３を通過する水を加熱する。制御装置９０は、給湯栓１０１に供給される水の温度が、給湯設定温度と一致するように、ガスバーナ３１の出力を制御する。
【００３７】
給湯運転では、より詳細には以下の処理が実行される。図２に示すように、まずＳ１０では、制御装置９０は、サーミスタ１１ａの検出温度が、給湯設定温度以上か否か判断する。給湯設定温度は、給湯栓１０１の水温として要求されている温度である。サーミスタ１１ａの検出温度が給湯設定温度以上である場合、制御装置９０は、Ｓ１０でＹＥＳと判断し、Ｓ１２に進む。一方、サーミスタ１１ａの検出温度が給湯設定温度より低い場合、制御装置９０は、Ｓ１０でＮＯと判断し、Ｓ４０に進む。
【００３８】
Ｓ１２では、制御装置９０は、バイパス弁１６を開く。バイパス弁１６が開くと、第１給湯路１７によって給湯栓１０１に水が供給される。よって、Ｓ１０でＹＥＳと判断された場合は、ガス熱源機ユニット３０を経由せずに、ヒートポンプユニット２０のみによって加熱された水が給湯栓１０１に供給される。
【００３９】
続くＳ１４では、制御装置９０は、サーミスタ６４で検出される水の温度が給湯設定温度となるように、混合弁１５の開度を調整する。
【００４０】
続くＳ１６では、制御装置９０は、流量センサ７１の検出流量と流量センサ７２の検出流量の合計が所定流量より多いか否か判断する。これによって、制御装置９０は、給湯栓１０１へ供給される水の単位時間あたりの供給量が所定の供給量より多いか否か判断する。流量センサ７１の検出流量と流量センサ７２の検出流量の合計が所定流量より多い場合、制御装置９０は、Ｓ１６でＹＥＳと判断し、Ｓ１８に進む。一方、流量センサ７１の検出流量と流量センサ７２の検出流量の合計が所定流量より多くない場合、制御装置９０は、Ｓ１６でＮＯと判断し、Ｓ１８からＳ２４をスキップして、処理を終了する。
【００４１】
続くＳ１８では、制御装置９０は、第１の所定時間Ｔ１を設定する。第１の所定時間Ｔ１は、後述の第２の所定時間Ｔ２より長い時間である。
【００４２】
続くＳ２０では、制御装置９０は、バイパス弁１６が開かれてから第１の所定時間Ｔ１が経過するまで待機する。これによって、制御装置９０は、給湯栓１０１への水の供給開始から第１の所定時間Ｔ１が経過したか否か判断する。バイパス弁１６が開かれてから第１の所定時間Ｔ１が経過している場合、制御装置９０は、Ｓ２０でＹＥＳと判断し、Ｓ２２に進む。
【００４３】
Ｓ２２では、制御装置９０は、サーミスタ６５の検出温度が給湯設定温度と同じであるか否か判断する。例えば、制御装置９０は、サーミスタ６５の検出温度と給湯設定温度の差が所定温度差を下回る場合に、サーミスタ６５の検出温度が給湯設定温度と同じであると判断する。サーミスタ６５の検出温度が給湯設定温度と同じである場合、制御装置９０は、Ｓ２２でＹＥＳと判断し、処理を終了する。一方、サーミスタ６５の検出温度が給湯設定温度と同じでない場合、制御装置９０は、Ｓ２２でＮＯと判断し、Ｓ２４に進む。Ｓ２２でＮＯと判断された場合、第１給湯路１７によって給湯栓１０１に供給される水の温度は、給湯設定温度と同じでない。これによって、制御装置９０の判定手段９１は、給湯システム１に不良があると判定する。
【００４４】
Ｓ２４では、制御装置９０は、記憶手段９２の第１記憶領域９２１に不良情報を記憶する。記憶手段９２の第２記憶領域９２２には不良情報が記憶されない。不良情報は、例えば、給湯栓１０１に供給される水の温度が給湯設定温度と一致しないことを示す情報である。また、制御装置９０は、記憶手段９２に過去の不良情報が記憶されている場合は、新たな不良情報を記憶手段９２に記憶するときに、過去の不良情報を記憶手段９２の第１記憶領域９２１から消去する。その後、処理を終了する。
【００４５】
一方、Ｓ１０でＮＯと判断された場合、Ｓ４０では、制御装置９０は、バイパス弁１６を閉じる。バイパス弁１６が閉じると、第２給湯路３３を流れた水が給湯栓１０１に供給される。第２給湯路３３を流れた水は、バイパス弁１６より下流で第１給湯路１７に流入して給湯栓１０１に供給される。したがって、第２給湯路３３と第１給湯路１７によって給湯栓１０１に水が供給される。
【００４６】
続くＳ４２では、制御装置９０は、ガス熱源機ユニット３０を駆動する。具体的には、制御装置９０は、ガスバーナ３１を駆動する。ガスバーナ３１の駆動によって、熱交換器３２が加熱される。そうすると、第２給湯路３３を流れる水が熱交換器３２との熱交換によって加熱される。このとき、制御装置９０は、サーミスタ６７で検出される水の温度が、給湯設定温度と等しくなるように、ガスバーナ３１の燃焼量を調整する。
【００４７】
以上より、Ｓ１０でＮＯと判断された場合は、ガス熱源機ユニット３０によって加熱された水が給湯栓１０１に供給される。
【００４８】
続くＳ４４では、制御装置９０は、流量センサ７３の検出流量が所定流量より多いか否か判断する。これによって、制御装置９０は、給湯栓１０１へ供給される水の単位時間あたりの供給量が所定の供給量より多いか否か判断する。流量センサ７３の検出流量が所定流量より多い場合、制御装置９０は、Ｓ４４でＹＥＳと判断し、Ｓ４６に進む。一方、流量センサ７３の検出流量が所定流量より多くない場合、制御装置９０は、Ｓ４４でＮＯと判断し、Ｓ４６とＳ４８をスキップして処理を終了する。
【００４９】
続くＳ４６では、制御装置９０は、第２の所定時間Ｔ２を設定する。第２の所定時間Ｔ２は、上述した第１の所定時間Ｔ１より短い時間である。
【００５０】
続くＳ４８では、制御装置９０は、バイパス弁１６が閉じられてから第２の所定時間Ｔ２が経過するまで待機する。これによって、制御装置９０は、給湯栓１０１への水の供給開始から第２の所定時間Ｔ２が経過しているか否か判断する。バイパス弁１６が閉じられてから第２の所定時間Ｔ２が経過している場合、制御装置９０は、Ｓ４８でＹＥＳと判断し、Ｓ２２に進む。
【００５１】
続くＳ２２及びＳ２４では、上記のＳ２２及びＳ２４と同じ処理が実行される。
【００５２】
以上、本実施例の給湯システム１の構成及び運転内容について説明した。本実施例では、上述のように、ガス熱源機ユニット３０を経由せずにヒートポンプユニット２０のみによって加熱された水が給湯栓１０１に供給される場合と、ガス熱源機ユニット３０によって加熱された水が給湯栓１０１に供給される場合がある。また、本実施例では、図１に示すように、第１給湯路１７によって給湯栓１０１へ供給される水の温度を検出するサーミスタ６５を備えている。また、本実施例では、タンク１１から給湯栓１０１までの経路が熱交換器３２から給湯栓１０１までの経路より長く、タンク１１からサーミスタ６５までの経路が熱交換器３２からサーミスタ６５までの経路より長いので、経路中に残った冷水が排出され、サーミスタ６５を通過する水が高温になるまでの時間に違いが生じる。すなわち、ヒートポンプユニット２０によって加熱された高温の水がタンク１１から給湯栓１０１に供給されるときに、タンク１１からサーミスタ６５までの経路が長いので、経路中に残った冷水が排出され、高温の水がタンク１１からサーミスタ６５に到達するまでの時間が長くなる。一方、ガス熱源機ユニット３０によって水が加熱されるときは、熱交換器３２からサーミスタ６５までの経路がタンク１１からサーミスタ６５までの経路より短いので、経路中に残った冷水が排出され、高温の水が熱交換器３２からサーミスタ６５に到達するまでの時間が短くなる。よって、ヒートポンプユニット２０とガス熱源機ユニット３０で、サーミスタ６５によって水温が検出される水が高温になるまでの時間に違いがある。
【００５３】
また、本実施例では、サーミスタ６５によって検出された検出温度と給湯栓１０１の水温として要求されている給湯設定温度とに基づいて不良を判定する判定手段９１と、判定手段９１によって判定された不良情報を記憶する記憶手段９２とを備えている。そして、図２のＳ１０〜Ｓ２４に示すように、ヒートポンプユニット２０のみによって加熱された水が給湯栓１０１へ供給されるときは、供給開始から第１の所定時間Ｔ１が経過したときにサーミスタ６５によって検出された水の検出温度に基づいて判定手段９１が不良を判定する。一方、図２のＳ４０〜Ｓ４８、Ｓ２２、Ｓ２４に示すように、少なくともガス熱源機ユニット３０によって加熱された水が給湯栓１０１へ供給されるときは、供給開始から第１の所定時間Ｔ１より短い第２の所定時間Ｔ２が経過したときにサーミスタ６５によって検出された水の検出温度に基づいて判定手段９１が不良を判定する。このように、水の供給開始から不良判定までの時間を熱源の種類に応じて異なるものとしているので、いずれの熱源が使用されている場合でも初期冷水の排出後の水温に基づいてすみやかに不良を判定することができる。よって、いずれの熱源が使用されている場合でも、初期冷水が排出された後の不良情報をすみやかに取得することができる。
【００５４】
また、本実施例の給湯システム１では、上述のように、第１給湯路１７によって給湯栓１０１へ供給される水の単位時間あたりの供給量が所定の供給量より多いときに、サーミスタ６５によって検出された水の検出温度に基づいて判定手段９１が不良を判定している。通常、水の供給量が極端に少ない場合には、給湯栓１０１へ供給される水の温度を精度よく調整することは困難であり、このような場合に不良判定を行うと、給湯システム１を構成するそれぞれの機器が何の問題もなく動作している場合でも、温調不良と誤って判定してしまう場合がある。この構成によれば、水の供給量が所定の供給量より多い場合についてのみ水温に基づいて不良を判定するので、上記のような誤判定を防ぐことができる。
【００５５】
また、本実施例の給湯システム１では、上述のように、記憶手段９２が複数の記憶領域（第１記憶領域９２１と第２記憶領域９２２）を備えており、複数の記憶領域のうちの第１記憶領域９２１が不良情報を記憶し、第２記憶領域９２２が不良情報を記憶しない。この構成によれば、複数の記憶領域を備えているので、複数の種類の情報を整理して記憶することができる。また、第１記憶領域９２１が不良情報を記憶し、第２記憶領域９２２が不良情報を記憶しないので、不良情報を整理して記憶することができ、不良情報が利用しやすくなる。
【００５６】
また、本実施例の給湯システム１では、上述のように、記憶手段９２が新たな不良情報を記憶するときに、過去の不良情報が記憶手段９２から消去される。この構成によれば、古い不良情報が消去されるので、新しい不良情報のための記憶領域を確保することができ、新しい不良情報を確実に記憶することができる。
【００５７】
以上、一実施形態について説明したが、具体的な態様は上記実施形態に限定されるものではない。例えば、第１給湯路１７によって給湯栓１０１へ供給される水の単位時間あたりの供給量に応じて、第１の所定時間Ｔ１の長さと第２の所定時間Ｔ２の長さのそれぞれを変えてもよい。具体的には、給湯栓１０１へ供給される水の単位時間あたりの供給量が多い場合は、供給量が少ない場合に比べて、第１の所定時間Ｔ１が短くてもよい。同様に、給湯栓１０１へ供給される水の単位時間あたりの供給量が多い場合は、供給量が少ない場合に比べて、第２の所定時間Ｔ２が短くてもよい。すなわち、第１給湯路１７によって給湯栓１０１へ供給される水の単位時間あたりの供給量が多くなるに従って第１の所定時間Ｔ１と第２の所定時間Ｔ２が短くなる構成であってもよい。
【００５８】
例えば、上記のＳ１６とＳ１８において、流量センサ７１の検出流量と流量センサ７２の検出流量の合計が５Ｌ／ｍｉｎ以上かつ１０Ｌ／ｍｉｎ未満である場合に、第１の所定時間Ｔ１を６０秒に設定する。また、流量センサ７１の検出流量と流量センサ７２の検出流量の合計が１０Ｌ／ｍｉｎ以上である場合に、第１の所定時間Ｔ１を４５秒に設定する。なお、流量センサ７１の検出流量と流量センサ７２の検出流量の合計が５Ｌ／ｍｉｎ未満である場合には、不良判定を行わないように設定する。
【００５９】
また、例えば、上記のＳ４４とＳ４６において、流量センサ７３の検出流量が５Ｌ／ｍｉｎ以上かつ１０Ｌ／ｍｉｎ未満である場合に、第２の所定時間Ｔ２を４５秒に設定する。また、流量センサ７３の検出流量が１０Ｌ／ｍｉｎ以上である場合に、第２の所定時間Ｔ２を３０秒に設定する。なお、流量センサ７３の検出流量が５Ｌ／ｍｉｎ未満である場合には、不良判定を行わないように設定する。
【００６０】
このように、水の供給量が多くなるに従って、第１の所定時間Ｔ１と第２の所定時間Ｔ２を短くする。第１の所定時間Ｔ１と第２の所定時間Ｔ２は、制御装置９０における記憶手段に予め記憶されている。水の供給量に対する第１の所定時間Ｔ１と第２の所定時間Ｔ２が予め設定されている。第１の所定時間Ｔ１と第２の所定時間Ｔ２は、給湯システム１の配管経路長や、試験によって算出された湯の供給開始から初期冷水が排出されるまでの時間等を考慮して適宜決定することができる。
【００６１】
水の供給量が多くなると、水がタンク１１からサーミスタ６５に到達するまでの時間が短くなる。また、水が熱交換器３２からサーミスタ６５に到達するまでの時間も短くなる。上記の構成によれば、水の供給開始から不良判定までの時間を水の供給量に応じて変化させているため、短時間で不良判定を行うことができる。
【００６２】
また、上記の実施例ではタンク１１から給湯栓１０１までの経路が、熱交換器３２から給湯栓１０１までの経路より長く、タンク１１からサーミスタ６５までの経路が、熱交換器３２からサーミスタ６５までの経路より長い構成であったが、この構成に限定されるものではない。他の実施例では逆に、ガス熱源機ユニット３０（第１熱源の他の一例）から給湯栓１０１までの経路が、ヒートポンプユニット２０（第２熱源の他の一例）から給湯栓１０１までの経路より長く、熱交換器３２からサーミスタ６５までの経路が、タンク１１からサーミスタ６５までの経路より長くてもよい。このような場合は、上記の実施例とは逆に、ガス熱源機ユニット３０によって加熱された水が給湯栓１０１へ供給されるときは、供給開始から第１の所定時間Ｔ１が経過したときにサーミスタ６５によって検出された水の検出温度に基づいて判定手段９１が不良を判定する。また、ヒートポンプユニット２０によって加熱された水が給湯栓１０１へ供給されるときは、供給開始から第１の所定時間Ｔ１より短い第２の所定時間Ｔ２が経過したときにサーミスタ６５によって検出された水の検出温度に基づいて判定手段９１が不良を判定する。この構成によっても、水を加熱する熱源に応じて、初期冷水排出後の水温に基づく不良情報をすみやかに取得することができる。
【００６３】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００６４】
１        ：給湯システム
１１      ：タンク
１１ａ    ：サーミスタ
１１ｂ    ：サーミスタ
１１ｃ    ：サーミスタ
１２      ：タンク水循環路
１３      ：タンク水供給路
１４      ：出湯路
１５      ：混合弁
１６      ：バイパス弁
１７      ：第１給湯路
２０      ：ヒートポンプユニット
２１      ：ヒートポンプ
２２      ：圧縮機
２３      ：凝縮器
２４      ：膨張弁
２５      ：蒸発器
２６      ：冷媒循環路
２７      ：ファン
２８      ：循環ポンプ
３０      ：ガス熱源機ユニット
３１      ：ガスバーナ
３２      ：熱交換器
３３      ：第２給湯路
３４      ：バイパス路
３６      ：供給量調整弁
３７      ：湯張り弁
３８      ：分岐弁
３９      ：湯張り路
６１      ：サーミスタ
６２      ：サーミスタ
６３      ：サーミスタ
６４      ：サーミスタ
６５      ：サーミスタ
６７      ：サーミスタ
７１      ：流量センサ
７２      ：流量センサ
７３      ：流量センサ
７４      ：流量センサ
９０      ：制御装置
９１      ：判定手段
９２      ：記憶手段
１００    ：浴槽
１０１    ：給湯栓
１１０    ：水道水供給源
１３２    ：分岐路
９２１    ：第１記憶領域
９２２    ：第２記憶領域
【図１】
0006375256.tif 000002
【図２】
0006375256.tif 000003